(57)【特許請求の範囲】
【請求項１】
直交状に配置された間仕切り部材と、
両間仕切り部材を連結するコーナ部材と
を備え、
前記間仕切り部材は、
側部にパネル取付部を設けた柱部材と、
前記パネル取付部に組み付けられるパネル押さえ部材と
を備え、
前記パネル取付部は、前記柱部材の端部側に突条を設けパネルの側部を固定する一対のパネル当接部と、両パネル当接部の間に位置し壁面に突条から成る位置決め部を設け該位置決め部を介して前記パネル押さえ部材を固定する凹部とで構成され、
前記パネル押さえ部材は、両端部側に突条を設け前記柱部材の側部と同等の幅と長さを有する本体部と、前記本体部から起立し前記凹部内への嵌入時に前記位置決め部と係合する凹溝から成る位置決め部をそれぞれの外側壁面に設けた前記本体部と同等の長さを有するとともに先端部が断面半円形状を為す２本の脚部とで構成され、
前記コーナ部材は、前記柱部材のパネル当接部と、前記柱部材の凹部内に脚部を嵌入する前記パネル押さえ部材のパネル押さえ部とで形成する凹部に嵌入するほぼＬ字型を為す中空の柱状部材と、前記柱状部材にそれぞれ連接するとともに前記柱部材の側壁にそれぞれ当接する脚部とを設け、
前記直交状に配置された間仕切り部材は、前記柱部材のパネル当接部と、前記柱部材の凹部内に脚部を嵌入する前記パネル押さえ部材とで形成する凹部に、前記コーナ部材のほぼＬ字型を為す中空の柱状部材を嵌入するとともに、前記両柱状部材の側壁に前記コーナ部材の脚部をそれぞれ当接し、かつ両脚部と前記側壁とを固定部材により固着して成る
ことを特徴とする間仕切りのコーナ部の接合構造。
【請求項２】
請求項１記載の間仕切りのコーナ部の接合構造において、
前記柱部材は、中空の箱断面形状を為す本体部と、前記本体部の中央部に位置するとともに前記本体部の壁面より突出する縁部を設けた前記パネル押さえ部材を固定する凹部と、前記凹部と前記本体部の端部との間に形成される前記パネルの側部を固定する一対のパネル当接部とを備え、
前記凹部は、対向する壁面に断面半円形状の突条から成る位置決め部を前記柱部材の長手方向に設け、
前記パネル押さえ部材の２本の脚部は、前記柱部材の凹部内への嵌入時に前記柱部材の位置決め部と係合する断面半円形状の凹溝から成る位置決め部をそれぞれの外側壁面に設けている
ことを特徴とする間仕切りのコーナ部の接合構造。
【請求項３】
請求項１または請求項２記載の間仕切りのコーナ部の接合構造において、
前記コーナ部材の脚部には、前記コーナ部を覆うカバー部材が固着されている
ことを特徴とする間仕切りのコーナ部の接合構造。
【発明の詳細な説明】
【０００１】
【発明の属する技術分野】
本発明は、例えば、クリーンルームのクリーンエリアを確保するためなどに用いられる間仕切りのコーナ部の接合構造に関する。
【０００２】
【従来の技術】
従来、例えば、クリーンルームにおいては、特開平６−１９３１６１号公報に開示されるように、クリーンエリアを確保するために間仕切りで区画されている。
間仕切りは、複数のパネルを繋いで壁を構成する。その際、各パネル間は、気密を確保するために、シール材、接着剤、固定ビスなどにより接合されている。
【０００３】
【発明が解決しようとする課題】
特開平６−１９３１６１号公報に開示されるように、室内の生産装置の変更やレイアウトの変更などに対し、間仕切りの変更を行うことは、比較的容易に行うことが可能である。
しかし、従来の間仕切りの設置では、間仕切り部材をビス止めし、さらにシリコーンシーラによってシールする必要があるため、手間暇を要するという問題があった。
【０００４】
本発明は斯かる従来の問題点を解決するために為されたもので、その目的は、作業が容易で確実に設置することが可能な間仕切り部材およびこれを用いた間仕切り並びに間仕切りのコーナ部の接合構造を提供することにある。
【０００５】
【課題を解決するための手段】
請求項１に係る発明は、直交状に配置された間仕切り部材と、両間仕切り部材を連結するコーナ部材とを備え、前記間仕切り部材は、側部にパネル取付部を設けた柱部材と、前記パネル取付部に組み付けられるパネル押さえ部材とを備え、前記パネル取付部は、前記柱部材の端部側に突条を設けパネルの側部を固定する一対のパネル当接部と、両パネル当接部の間に位置し壁面に突条から成る位置決め部を設け該位置決め部を介して前記パネル押さえ部材を固定する凹部とで構成され、前記パネル押さえ部材は、両端部側に突条を設け前記柱部材の側部と同等の幅と長さを有する本体部と、前記本体部から起立し前記凹部内への嵌入時に前記位置決め部と係合する凹溝から成る位置決め部をそれぞれの外側壁面に設けた前記本体部と同等の長さを有するとともに先端部が断面半円形状を為す２本の脚部とで構成され、前記コーナ部材は、前記柱部材のパネル当接部と、前記柱部材の凹部内に脚部を嵌入する前記パネル押さえ部材のパネル押さえ部とで形成する凹部に嵌入するほぼＬ字型を為す中空の柱状部材と、前記柱状部材にそれぞれ連接するとともに前記柱部材の側壁にそれぞれ当接する脚部とを設け、前記直交状に配置された間仕切り部材は、前記柱部材のパネル当接部と、前記柱部材の凹部内に脚部を嵌入する前記パネル押さえ部材とで形成する凹部に、前記コーナ部材のほぼＬ字型を為す中空の柱状部材を嵌入するとともに、前記両柱状部材の側壁に前記コーナ部材の脚部をそれぞれ当接し、かつ両脚部と前記側壁とを固定部材により固着して成ることを特徴とする。
【０００６】
請求項２に係る発明は、請求項１記載の間仕切りのコーナ部の接合構造において、前記柱部材は、中空の箱断面形状を為す本体部と、前記本体部の中央部に位置するとともに前記本体部の壁面より突出する縁部を設けた前記パネル押さえ部材を固定する凹部と、前記凹部と前記本体部の端部との間に形成される前記パネルの側部を固定する一対のパネル当接部とを備え、前記凹部は、対向する壁面に断面半円形状の突条から成る位置決め部を前記柱部材の長手方向に設け、前記パネル押さえ部材の２本の脚部は、前記柱部材の凹部内への嵌入時に前記柱部材の位置決め部と係合する断面半円形状の凹溝から成る位置決め部をそれぞれの外側壁面に設けていることを特徴とする。
請求項３に係る発明は、請求項１または請求項２記載の間仕切りのコーナ部の接合構造において、前記コーナ部材の脚部には、前記コーナ部を覆うカバー部材が固着されていることを特徴とする。
【０００７】
【発明の実施の形態】
以下、本発明を図面に示す実施形態に基づいて説明する。
図１ないし図４は、本発明に係る間仕切りのコーナ部の接合構造に用いられる間仕切り部材および間仕切りの一実施形態を示す。
本実施形態に係る間仕切り部材Ａは、一側部にパネル取付部１５を設けた柱部材１０と、パネル取付部１５に組み付けられるパネル押さえ部材２０とで構成されている。
【００１２】
柱部材１０およびパネル押さえ部材２０は、例えば、アルミニウムの引抜材または押出し材で構成されている。柱部材１０は、壁の間柱の機能を持つのに十分な剛性を有する構造体である。
柱部材１０は、中空の箱断面形状を為す本体部１１と、本体部１１の中央部に位置するとともに、柱部材１０の長手方向に沿って設けられ、本体部１１の一側部１１ａより突出する縁部１２ａ，１２ａを設けたパネル押さえ部材２０を固定する凹部１２と、本体部１１の一側部１１ａにおいて本体部１１の他側部１１ｂ，１１ｃと凹部１２との間に形成される一対のパネル当接部１４，１４とを備えている。
凹部１２は、対向する壁面１２ｂ，１２ｂに断面半円形状の突条１２ｃ，１２ｃから成る位置決め部１３を柱部材１０の長手方向に沿って設けている。
一対のパネル当接部１４，１４は、柱部材１０の一側部１１ａと連接する他側部１１ｂ，１１ｃとの両端部側に突条１４ｂ，１４ｂを柱部材１０の長手方向に沿って設けている。
突条１４ｂ，１４ｂにより一側部１１ａには段差が形成される。この段差により、間仕切りＢを構築する際に、壁パネル３４を建込み時の仮押さえを形成する両面テープ３３を貼る面を形成する。また、突条１４ｂ，１４ｂは、構築時に壁パネル３４をパネル押さえ部材３０とで挟み付ける作用を為す。なお、突条１４ｂ，１４ｂは、壁パネル３４の厚み誤差と本体部１１の製作誤差を吸収し、壁パネル３４をしっかり固定させるためにごくわずかに突出している。
【００１３】
本実施形態において、パネル取付部１５は、一対のパネル当接部１４，１４と、凹部１２とで構成されている。
柱部材１０は、凹部１２の底部側に仕切り１６を設けている。この仕切り１６は、例えば、組み立てられた間仕切りＢを柱部材１０の他側部１１ｄ側から打ち込まれるビスなどにより固定する場合の支持壁面を構成することができるように設けてある。
パネル押さえ部材２０は、柱部材１０の一側部１１ａと同等の幅と長さを有する板形状の本体部２１と、本体部２１から起立し本体部２１と同等の長さを有し、凹部１２内へ嵌入する２本の脚部２２，２２とで構成されている。
本体部２１は、間仕切りＢを構成した際には、壁面を構成する。
パネル押さえ部材２０の２本の脚部２２，２２は、凹部１２の壁面１２ｂ，１２ｂの幅と同等またはやや小さ目の間隔で設けられている。２本の脚部２２，２２は、それぞれの外側壁２２ａ，２２ａに断面半円形状の凹溝２２ｂ，２２ｂから成る位置決め部２３をパネル押さえ部材２０の長手方向に沿って設けている。位置決め部２３は、凹部１２への嵌入時に位置決め部１３と係合し、パネル押さえ部材２０を柱部材１０に固定するために設けてある。
２本の脚部２２，２２の先端部２２ｃ，２２ｃは、図３に示すように、断面半円形状を為しており、２本の脚部２２，２２を凹部１２内に嵌入する際に、２本の脚部２２，２２の先端部２２ｃ，２２ｃが凹部１２の壁面１２ｂに設けた断面半円形状の突条１２ｃ，１２ｃに対して円と円との接触となり、接触しつつ移動するときに同一部が連続して接触することなく常に新しい部位同士の接触となり嵌め込みを容易にすることができる。
本体部２１の両端部側に長手方向に沿って突条２１ａ，２１ａを設けている。突条２１ａ，２１ａは、壁パネル３４の厚み誤差と本体部２１の製作誤差を吸収し、壁パネル３４をしっかり固定させるためにごくわずかに突出している。
【００１４】
次に、斯くして構成された本実施形態に係る間仕切り部材Ａを用いた間仕切りＢを説明する。
先ず、図４に示すように、天井側に天井枠部材３０と床側に床枠部材３１を常法に従って取り付ける。
次に、図２に示すように、柱部材１０を、天井枠部材３０と床枠部材３１との間に所定の間隔で常法に従って取り付ける。
次に、図２に示すように、各柱部材１０のパネル当接部１４，１４に壁パネル３４の仮押さえ部材として両面テープ３３を貼り付ける。
次に、図２に示すように、例えば、１０ｍｍ〜１５ｍｍ程度の薄い壁パネル３４を各柱部材１０のパネル当接部１４，１４上に載置し、側部３４ａを両面テープ３３に貼り付け、壁パネル３４を柱部材１０に仮に取り付ける。
次に、図２に示すように、パネル押さえ部材２０を２本の脚部２２，２２側からパネル取付部１５の凹部１２に向かって柱部材１０とパネル押さえ部材２０の位置決め部１５，２３が係合するまで押圧する。
この際、図３に示すように、凹部１２の壁面１２ｂ，１２ｂに設けた断面半円形状の突条１２ｃ，１２ｃの円弧面に、断面半円形状を為す２本の脚部２２，２２の先端部２２ｃ，２２ｃの円弧面が接触しつつ移動し、嵌め込みを容易にする。
そして、２本の脚部２２，２２の先端部２２ｃ，２２ｃが凹部１２の壁面１２ｂ，１２ｂに設けた断面半円形状の突条１２ｃ，１２ｃを乗り越えると、２本の脚部２２，２２の外側壁２２ａ，２２ａに設けた断面半円形状の凹溝２２ｂ，２２ｂ内に凹部１２の壁面１２ｂ，１２ｂが嵌まり込む。
同時に、２本の脚部２２，２２のスプリング力により、２本の脚部２２，２２の外側壁２２ａ，２２ａに設けた断面半円形状の凹溝２２ｂ，２２ｂを、凹部１２の壁面１２ｂ，１２ｂ設けた断面半円形状の突条１２ｃ，１２ｃに押し付け、両者の係合を確実にする。
以上により、図４に示すように、間仕切りＢを構築することができる。
【００１５】
斯くして構成された本実施形態に係る間仕切りＢによれば、天井枠部材３０と床枠部材３１との間に柱部材１０を格子状に枠組みし、その枠組みに、例えば、１０ｍｍ〜１５ｍｍ程度の薄い壁パネル３４を嵌め込み、その後にパネル押さえ部材２０を柱部材１０のパネル取付部１５に押し込むことにより、間仕切りＢをシール材、接着剤、固定ビスなどを用いることなく簡単に構築することができる。
また、柱部材１０とパネル押さえ部材２０とは、柱部材１０の凹部１２の壁面１２ｂ，１２ｂに設けた断面半円形状の突条１２ｃ，１２ｃとパネル押さえ部材２０の２本の脚部２２，２２の外側壁２２ａ，２２ａに設けた断面半円形状の凹溝２２ｂ，２２ｂとによる係合により組み付けられるので、嵌め込みが容易で、外し易いという利点がある。ここで、両者の係合部の形状を、鋸の歯状にすると、嵌め込むことができても、外すことができなくなり、間仕切りＢの機能を損ねることになる。
また、柱部材１０とパネル押さえ部材２０とでできる隙間と壁パネル３４の板厚との厚み調整と、柱部材１０、パネル押さえ部材２０および壁パネル３４の誤差は、柱部材１０とパネル押さえ部材２０とに設ける突条１４ｂ，２１ａにより吸収するが、さらに両面テープ３３の厚みや弾力性を利用することにより、確実に吸収することが可能となる。
【００１６】
図５は、本発明の別の実施形態に係る間仕切り部材Ａ１および間仕切りＢ１を示す。
本実施形態に係る間仕切り部材Ａ１は、柱部材１０の凹部１２の底部側が１つの縦壁１７によって本体部１１に連結されている点で、上記実施形態に係る間仕切り部材Ａと相違する。
本実施形態に係る間仕切り部材Ａ１および間仕切りＢ１においても、上記実施形態に係る間仕切り部材Ａおよび間仕切りＢと同様の作用効果を奏することができる。
【００１７】
図６は、本発明の別の実施形態に係る間仕切り部材Ａ１を用いたコーナ部の接合構造を示す。
本実施形態に係るコーナ部の接合構造は、間仕切り部材Ａ１を直交状に配置し、両者をコーナ部材５０によって連結したものである。
コーナ部材５０は、柱部材１０のパネル当接部１５と、柱部材１０の凹部１２内に２本の脚部２２，２２を嵌入するパネル押さえ部材２０の本体部２１とで形成する凹部４０，４０に嵌入するほぼＬ字型を為す中空の柱状部材５１と、柱状部材１０の側部１１ｃ，１１ｂにそれぞれ当接する２本の脚部５２，５２とで構成されている。
【００１８】
次に、本実施形態に係るコーナ部の接合構造を説明する。
先ず、図４に示す天井枠部材３０と床枠部材３１をコーナ部において直行状態に配置する。
次に、コーナ部に間仕切り部材Ａ１の柱部材１０を直交状に配置する。
次に、コーナ部に隣接する壁面側に、上記実施形態と同様に壁パネル３４を配置する。
次に、直交状に配置した柱部材１０，１０と、後で取り付けられるパネル押さえ部材２０とで形成される凹部４０，４０に、コーナ部材５０の中空の柱状部材５１を挿入する。
次に、パネル押さえ部材２０を柱部材１０のパネル取付部１５に圧入する。
次に、コーナ部材５０の２本の脚部５２，５２を柱部材１０の側部１１ｃ，１１ｂに固定ビス５４，５４により固定する。
次に、２本の脚部５２，５２の先端部５３，５３とにコーナ用壁材５５を取り付ける。
以上により、本実施形態に係るコーナ部の接合構造が構築される。
本実施形態に係るコーナ部の接合構造によれば、コーナ部を露出することなく構築することが可能となる。
【００１９】
なお、本実施形態においても、凹部４０の間隔調整は、柱部材１０とパネル押さえ部材２０とに設ける突条１４ｂ，２１ａにより吸収するが、さらに両面テープ３３の厚みや弾力性を利用することにより、確実に吸収することが可能となる。
また、本実施形態では、コーナ用壁材５５を用いたが、用途目的に応じ、コーナ用壁材５５を省いたり、その他の壁材を取り付けるなどの変更は可能である。
【００２０】
【発明の効果】
本発明によれば、間仕切り部材をシール材、接着剤、固定ビスなどを用いることなく簡単に構築することができるので、間仕切りおよび間仕切りのコーナ部の接合構造を簡便に確実に設置することが可能となる。
【図面の簡単な説明】
【図１】  本発明の一実施形態に係るコーナ部の接合構造に用いる間仕切りを示す断面図である。
【図２】  図１における間仕切りの構築を示す分解図である。
【図３】  柱部材とパネル押さえ部材とに設けた位置きめ部の作用を説明する図である。
【図４】  本発明の一実施形態に係るコーナ部の接合構造に用いる間仕切りを示す側面図である。
【図５】  本発明の別の実施形態に係るコーナ部の接合構造に用いる間仕切りを示す側面図である。
【図６】  本発明の実施形態に係るコーナ部の接合構造を示す断面図である。
【図７】  図６におけるコーナ部材を示す断面図である。
【符号の説明】
Ａ，Ａ１  間仕切り部材
Ｂ，Ｂ１  間仕切り
１０  柱部材
１１  本体部
１１ａ，１１ｂ，１１ｃ，１１ｄ  側部
１２  凹部
１２ａ  縁部
１２ｂ  壁面
１２ｃ  突条
１３  位置きめ部
１４  パネル当接部
１５  パネル取付部
１６  仕切り
２０  パネル押さえ部材
２１  本体部
２２  脚部
２２ａ  外側壁
２２ｂ  凹溝
２２ｃ  先端部
２３  位置決め部
３０  天井枠部材
３１  床枠部材
３３  両面テープ
３４  壁パネル
３４ａ  側部
４０  凹部
５０  コーナ部材
５１  中空の柱状部材
５２  脚部
５３  先端部
５５  コーナ用壁材
【図１】
0003986366.tif 000002
【図２】
0003986366.tif 000003
【図３】
0003986366.tif 000004
【図４】
0003986366.tif 000005
【図５】
0003986366.tif 000006
【図６】
0003986366.tif 000007
【図７】
0003986366.tif 000008